(57)【要約】【課題】間接照明での明るさ感を得やすくすることができる照明装置を提供する。【解決手段】照明装置10は、器具本体15、光源16、天井面側透光部19、壁面側透光部20および反射板23を備える。器具本体15は、壁面12から所定の距離をあけて天井面11に取り付けられる。光源16は、器具本体15の下面側に設けられる。天井面側透光部19は、器具本体15の壁面側に対して反対の一側に設けられ、天井面11へ向けて光源16からの光が透過する。壁面側透光部20は、器具本体15の壁面側の他側に設けられ、壁面12へ向けて光源16からの光が透過する。反射板23は、光源16からの光を天井面側透光部19に反射する天井面側反射面45、および壁面側透光部20に反射する壁面側反射面46を有する。天井面11に対して垂直な鉛直線ｚに対する壁面側反射面46の角度θ3が鉛直線ｚに対する天井面側反射面45の角度θ4よりも小さい。【選択図】図１
2017021900.tif 000002
【特許請求の範囲】
【請求項１】
壁面から所定の距離をあけて天井面に取り付けられる器具本体と；
前記器具本体の下面側に設けられる光源と；
前記器具本体の前記壁面側に対して反対の一側に設けられ、前記天井面へ向けて前記光源からの光が透過する天井面側透光部と；
前記器具本体の前記壁面側の他側に設けられ、前記壁面へ向けて前記光源からの光が透過する壁面側透光部と；
前記光源からの光を前記天井面側透光部に反射する天井面側反射面、および前記壁面側透光部に反射する壁面側反射面を有し、前記天井面に対して垂直な鉛直線に対する前記壁面側反射面の角度が鉛直線に対する前記天井面側反射面の角度よりも小さい反射板と；
を具備することを特徴とする照明装置。
【請求項２】
天井面に取り付けられる天井面取付部、および壁面に当接される壁面当接部を有する器具本体と；
前記器具本体の下面側に設けられる光源と；
前記器具本体の前記壁面側に対して反対の一側に設けられ、前記天井面へ向けて前記光源からの光が透過する天井面側透光部と；
前記器具本体の前記壁面側の他側に設けられ、前記壁面へ向けて前記光源からの光が透過する壁面側透光部と；
前記光源からの光を前記天井面側透光部に反射する天井面側反射面、および前記壁面側透光部に反射する壁面側反射面を有し、前記天井面に対して垂直な鉛直線に対する前記壁面側反射面の角度が鉛直線に対する前記天井面側反射面の角度よりも小さい反射板と；
を具備することを特徴とする照明装置。
【請求項３】
前記光源は、光の出射方向を下方へ向けて設けられるとともに所定の角度の範囲に光を出射する発光素子を有し、
前記壁面側透光部の下端側は、前記発光素子から直接光が出射される範囲の上限角度よりも下方に位置されている
ことを特徴とする請求項１または２記載の照明装置。
【請求項４】
前記天井面側透光部の下端側と前記壁面側透光部の下端側との間に非透光部を具備しており、
前記天井面側透光部の下端側は、前記壁面側透光部の下端側よりも前記器具本体の中心から離れている
ことを特徴とする請求項１ないし３いずれか一記載の照明装置。
【請求項５】
前記非透光部は、前記非透光部の一側から立ち上がるとともに前記天井面側透光部の下端側を保持する立上げ部を有する
ことを特徴とする請求項４記載の照明装置。
【請求項６】
前記天井面側透光部は、下端側が上端側よりも前記器具本体の一側方に突出するように傾斜されている
ことを特徴とする請求項１ないし５いずれか一記載の照明装置。
【請求項７】
前記壁面側透光部は、上端側が下端側よりも前記器具本体の他側方に突出するように傾斜されている
ことを特徴とする請求項２記載の照明装置。
【発明の詳細な説明】
【技術分野】
【０００１】
本発明の実施形態は、間接照明用の照明装置に関する。
【背景技術】
【０００２】
例えば廊下や部屋等における一般的な間接照明では、光源が直視できないように壁または天井に造作された造作部に照明器具を配置し、光源からの光を天井面または壁面に照射し、天井面または壁面で反射する光で照明空間の明るさを得るようにしている。
【０００３】
しかしながら、この場合、壁または天井の造作が必要となるため、建築コストがかかり、設計の自由度が少なく、適切な設計および照明器具の配置ができていないと光源が直視できてしまう虞がある。また、天井面または壁面のいずれか一方にしか光を照射しないので、間接照明での明るさ感が得られにくいことがある。
【０００４】
また、車両用の照明装置では、車内の天井面に取り付け、両側開口から天井面に光を照射し、車内を間接照明するものがある。しかしながら、天井面にしか光を照射しないので、間接照明での明るさ感が得られにくいことがある。
【先行技術文献】
【特許文献】
【０００５】
【特許文献１】実公平２−１８７５３号公報
【発明の概要】
【発明が解決しようとする課題】
【０００６】
本発明が解決しようとする課題は、間接照明での明るさ感を得やすくすることができる照明装置を提供することである。
【課題を解決するための手段】
【０００７】
実施形態の照明装置は、器具本体、光源、天井面側透光部、壁面側透光部および反射板を備える。器具本体は、壁面から所定の距離をあけて天井面に取り付けられる。光源は、器具本体の下面側に設けられる。天井面側透光部は、器具本体の壁面側に対して反対の一側に設けられ、天井面へ向けて光源からの光が透過する。壁面側透光部は、器具本体の壁面側の他側に設けられ、壁面へ向けて光源からの光が透過する。反射板は、光源からの光を天井面側透光部に反射する天井面側反射面、および壁面側透光部に反射する壁面側反射面を有する。天井面に対して垂直な鉛直線に対する壁面側反射面の角度が鉛直線に対する天井面側反射面の角度よりも小さい。
【発明の効果】
【０００８】
本発明によれば、間接照明での明るさ感を得られやすくすることが期待できる。
【図面の簡単な説明】
【０００９】
【図１】第１の実施形態を示す照明装置の断面図である。
【図２】同上照明装置の斜視図である。
【図３】第２の実施形態を示す照明装置の断面図である。
【発明を実施するための形態】
【００１０】
以下、第１の実施形態を、図１および図２を参照して説明する。
【００１１】
照明装置10は、天井面11および壁面12の両方に光を照射して照明空間の明るさを得る間接照明装置である。
【００１２】
照明装置10は、長尺状に設けられ、長手方向が壁面12に平行となるように、壁面12から所定の間隔をあけて天井面11に設置されている。
【００１３】
そして、照明装置10は、器具本体15、この器具本体15の下面側に配設される光源16および電源装置17、器具本体15の下面側を覆って器具本体15に取り付けられるカバー体18を備えている。カバー体18は、天井面側透光部19、壁面側透光部20、非透光部21および端板22を備え、さらに、非透光部21上に設けられる反射板23を備えている。
【００１４】
器具本体15は、例えば金属板製で、長尺状に形成されている。器具本体15は、天井面11に取り付けられる天井面取付部26、この天井面取付部26の長手方向に対して直交する幅方向の一側（壁面12側に対して反対側）に設けられ天井面側透光部19の上端側を保持する保持部27、および天井面取付部26の幅方向の他側（壁面12に対向する側）に設けられ壁面側透光部20の上端側を保持する保持部28を備えている。これら保持部27，28は、天井面側透光部19および壁面側透光部20をそれぞれ保持できればどのような構成を用いてもよい。
【００１５】
器具本体15の下面には、光源16を取り付けるための光源取付部29が設けられている。光源取付部29は、例えば金属板製で、断面コ字形に形成されているとともに器具本体15に沿って長尺状に形成されており、下面に光源16が取り付けられ、内部に電源装置17が収容されている。
【００１６】
また、光源16は、器具本体15の中心（器具本体15の中心を通る鉛直線ｚ）と一致するように器具本体15に取り付けられている。光源16は、発光モジュール32を備えている。発光モジュール32は、基板33、およびこの基板33に実装された複数の発光素子34を備えている。
【００１７】
基板33は、長尺状で、表面に形成された配線パターン上に複数の発光素子34が実装されている。基板33の裏面が光源取付部29に取り付けられている。したがって、光源16は、器具本体15の下面よりも下方に離れた位置に配置されている。
【００１８】
発光素子34は、例えばＳＭＤ(Surface Mount Device)パッケージ方式のＬＥＤが用いられている。発光素子34は、基板33の幅方向の中央に１列で、長手方向に沿って所定の間隔をあけて配列されている。発光素子34は、光の出射方向（光軸方向）が下方へ向けられ、所定の角度θ1の範囲に光（直接光）を出射する。角度θ1は、例えば１２０°である。
【００１９】
なお、発光素子34は、基板33の幅方向に複数列に配列してもよく、例えば、天井面照射用の発光素子34の列と壁面照射用の発光素子34の列とを２列に配列してもよい。また、発光素子34は、ＣＯＢ（Chip On Board）モジュール方式を用いてもよく、あるいは、発光素子34としてＬＥＤ以外の例えば有機ＥＬ等を用いてもよい。
【００２０】
また、電源装置17は、器具本体15の天井面取付部26の下面に取り付けられている。電源装置17は、交流電源を入力し、所定の直流電源に変換して光源16（発光素子34）に供給し、光源16（発光素子34）を発光させる。
【００２１】
また、カバー体18は、器具本体15に対応して長尺状に形成されており、器具本体15に着脱可能に装着され、器具本体15の下面側に配設されている光源16を覆う。カバー体18の一側面（壁面12側に対して反対側）には天井面側開口部37が開口され、この天井面側開口部37が天井面側透光部19によって閉塞され、また、カバー体18の他側面（壁面12に対向する側）には壁面側開口部38が開口され、この壁面側開口部38が壁面側透光部20によって閉塞されている。天井面側開口部37および壁面側開口部38はカバー体18の長手方向に沿って横長に形成されているとともに、天井面側透光部19および壁面側透光部20もカバー体18の長手方向に沿って横長に形成されている。これら天井面側透光部19の下端側と壁面側透光部20の下端側との間に非透光部21が配設されているとともに、カバー体18の両端に端板22が配設されている。
【００２２】
天井面側透光部19および壁面側透光部20は、それぞれ透光性を有する樹脂材料によって平板状に形成されている。天井面側透光部19および壁面側透光部20は、透過する光を拡散する拡散板によって構成されている。拡散板としては、例えば、表面にしぼが形成された拡散板や、乳白に形成された拡散板等が用いられる。
【００２３】
非透光部21は、光を透過しない例えば金属板製で、カバー体18の長手方向に沿って長尺状に形成されている。非透光部21は、下面部39、この下面部39の長手方向に対して直交する幅方向の一側（壁面12側に対して反対側）に設けられ天井面側透光部19の下端側を保持する保持部40、および天井面取付部26の幅方向の他端側（壁面12に対向する側）に設けられ壁面側透光部20の下端側を保持する保持部41を備えている。これら保持部40，41は、天井面側透光部19および壁面側透光部20をそれぞれ保持できればどのような構成を用いてもよい。
【００２４】
非透光部21の一側からは立上げ部42が立ち上げられ、この立上げ部42に天井面側透光部19の下端側を保持する保持部40が設けられている。立上げ部42によって、壁面12から離れた照明装置10の一側方から光源16が直視されないようにする遮光角θ2が設定されている。
【００２５】
そして、天井面側透光部19の下端側は、器具本体15（発光素子34）の中心を通り、天井面11（天井面取付部26）に対して垂直な鉛直線ｚから壁面側透光部20の下端側よりも離れている。また、天井面側透光部19は、下端側が上端側よりも器具本体15の一側方に突出されていて天井面11に対向するように上向きに傾斜されており、または、下端側が上端側よりも器具本体15の中心を通る鉛直線ｚから離れていて天井面11に対向するように上向きに傾斜されている。
【００２６】
さらに、壁面側透光部20は、壁面12に平行に対向するように配設されている。なお、壁面側透光部20は、上端側が下端側よりも器具本体15の他側方に突出されていて下向きに傾斜していてもよい。また、壁面側透光部20の下端側は、発光素子34から直接光が出射される範囲の上限の角度θ1よりも下方に位置されており、発光素子34から直接光が壁面側透光部20を透過するように構成されている。
【００２７】
また、反射板23は、例えば金属板製で、器具本体15およびカバー体18の長手方向に沿って長尺状に形成されている。反射板23は、カバー体18の非透光部21上に配設されている。
【００２８】
反射板23は、光源16からの光を天井面側透光部19に向けて反射する天井面側反射面45、および光源16からの光を壁面側透光部20に向けて反射する壁面側反射面46を備えている。これら反射面45，46は、反射率の高い白色面や鏡面に形成されている。なお、これら反射面45，46は、平面で構成されているが、反射板23の幅方向に曲面（例えば凸曲面））で構成されていてもよい。
【００２９】
反射板23は、天井面側反射面45と壁面側反射面46とが頂部47を境として山形に折り曲げ形成されており、天井面側反射面45が天井面側透光部19に対向するように傾斜されているとともに、壁面側反射面46が壁面側透光部20に対向するように傾斜されている。
【００３０】
天井面側反射面45と壁面側反射面46とのなす頂部47は、光源16の直下、すなわち発光素子34の中心の直下位置に配設され、各々、鉛直線ｚ上に配置されている。天井面側反射面45の外側部および壁面側反射面46の外側部は、非透光部21上の一側および他側にそれぞれ配設されている。
【００３１】
鉛直線ｚに対する壁面側反射面46の角度θ3は、鉛直線ｚに対する天井面側反射面45の角度θ4よりも小さい関係を有している。
【００３２】
なお、鉛直線ｚに対する天井面側透光部19の角度θ5と、鉛直線ｚに対する天井面側反射面45の角度θ4との関係は、鉛直線ｚに対する天井面側透光部19の角度θ5が鉛直線ｚに対する天井面側反射面45の角度θ4よりも小さい関係を有している。
【００３３】
そして、このように構成されている照明装置10を天井面11に設置するには、壁面12から所定の距離をあけるとともに壁面12に対して平行となるように器具本体15を天井面11に取り付ける。電源装置17への交流電源の供給のための配線処理後、器具本体15を覆うようにカバー体18を器具本体15に装着する。
【００３４】
照明装置10の設置状態では、天井面側透光部19が壁面12に対して反対側である照明空間の中央側に向いていて天井面11に対向され、壁面側透光部20が壁面12に対して所定の距離をあけて対向されている。
【００３５】
電源装置17で交流電源を所定の直流電源に変換して光源16に供給することにより、光源16が発光する。光源16からの光は反射板23の天井面側反射面45および壁面側反射面46にそれぞれ入射するとともに、光源16からの直接光の一部が壁面側透光部20を透過して壁面12に照射される。
【００３６】
天井面側反射面45に入射した光は、天井面側透光部19に向けて反射され、天井面側透光部19を透過して天井面11に照射される。
【００３７】
壁面側反射面46に入射した光は、壁面側透光部20に向けて反射され、壁面側透光部20を透過して壁面12に照射される。したがって、壁面12には、光源16からの直接光と反射板23の壁面側反射面46からの反射光が照射される。
【００３８】
照明装置10から天井面11および壁面12にそれぞれ照射された光によって照明空間の明るさが得られる。
【００３９】
照明装置10の外部に出る光が透過する天井面側透光部19および壁面側透光部20は、拡散性を有するため、照明装置10から天井面11および壁面12に対して均一に光を照射でき、輝度むらを低減できる。
【００４０】
なお、照明装置10は、壁面12から間隔が近い方が壁面12の上部側に光が照射されて照度が高くなり、壁面12から遠い方が壁面12の下方域までの広い範囲に光が照射させて照度が低くなるので、所望する壁面12の明るさや範囲に応じて壁面12からの照明装置10の距離を任意に設定すればよい。
【００４１】
このように、照明装置10から天井面11および壁面12の両方にそれぞれに光が照射されるため、天井面11または壁面12のいずれか一方のみにしか光が照射されない場合に比べて、間接照明での照明空間の明るさ感を得やすくすることができる。
【００４２】
反射板23は、鉛直線ｚに対する壁面側反射面46の角度θ3が、鉛直線ｚに対する天井面側反射面45の角度θ4よりも小さい関係を有するため、照明空間に居る人からは光源16および天井面側透光部19を直視しにくくできるとともに、壁面12の下方域まで光を照射しやすくできる。
【００４３】
壁面側透光部20の下端側は、発光素子34から直接光が出射される範囲の上限角度θ1よりも下方に位置されているため、発光素子34から直接光を壁面12に照射することができ、壁面12の下方域まで明るくし、間接照明での照明空間の明るさ感を得やすくすることができる。
【００４４】
天井面側透光部19の下端側と壁面側透光部20の下端側との間に非透光部21が設けられており、天井面側透光部19の下端側が上端側よりも器具本体15の一側方に突出されているため、照明空間に居る人からは光源16および天井面側透光部19を直視しにくくできる。
【００４５】
天井面側透光部19は、下端側が上端側よりも器具本体15の一側方に突出されていて天井面11に対向するように上向きに傾斜されているため、照明空間に居る人からは光源16および天井面側透光部19を直視しにくくできる。
【００４６】
非透光部21の一側から立ち上がる立上げ部42によって、天井面側透光部19の下端側を保持できるとともに、壁面12から離れた照明装置10の一側方から光源16および天井面側透光部19が直視されないようにする遮光角θ2を容易に設定することができる。
【００４７】
次に、図３に第２の実施形態を示す。なお、第１の実施形態と同じ構成は同じ符号を用いて、その構成および作用効果についての説明を省略する。
【００４８】
器具本体15には、天井面取付部26の幅方向の他側（壁面12に対向する側）に、壁面12に当接する壁面当接部50が延設されている。
【００４９】
壁面側透光部20は、上端側が下端側よりも器具本体15の他側方に突出するように、または、下端側が上端側よりも壁面12から離れるように、下向きに傾斜されている。壁面側透光部20は、天井面側透光部19と平行であり、鉛直線ｚに対する壁面側透光部20の角度θ6と鉛直線ｚに対する天井面側透光部19の角度θ5とが同じ角度となっている。なお、壁面側透光部20は天井面側透光部19と平行でなくてもよく、鉛直線ｚに対する壁面側透光部20の角度θ6は鉛直線ｚに対する天井面側透光部19の角度θ5と異なる角度でもよい。
【００５０】
また、光源16は、器具本体15の中心（器具本体15の中心を通る鉛直線ｚ）よりも壁面12から離反する方向に寄った位置に配設されている。この光源16の直下、すなわち発光素子34の中心の直下位置に、反射板23の頂部47が配設されている。
【００５１】
また、第２の実施形態の照明装置10の角度θ1〜θ5を含むその他の関係は、第１の実施形態と同じ関係にある。
【００５２】
そして、照明装置10を設置する際、器具本体15の天井面取付部26を天井面11に当接させるとともに壁面当接部50を壁面12に当接させることにより、器具本体15を天井面11および壁面12に対して所定位置に位置決めでき、照明装置10を容易に設置できる。
【００５３】
照明装置10は壁面12の近くに設置されることになるが、壁面側透光部20を傾斜させているため、光源16からの光が壁面12の下方域まで届きやすく、壁面12の広い範囲に光を照射できる。
【００５４】
なお、壁面当接部50は、器具本体15の長手方向の全域が幅方向の他側に向けて延設された構成に限らず、器具本体15の一部のみが延設されたり、壁面当接部50を構成する別体の部品を器具本体15が備えていてもよい。
【００５５】
なお、上述した各実施形態において、照明装置10を長手方向に連続して設置することにより、連続した間接照明ができる。
【００５６】
また、照明装置10のカバー体18は、透光性を有する材料を用いた例えば押出成形によって天井面側透光部19、壁面側透光部20および非透光部21を一体に形成してもよい。この場合、非透光部21は、一体成形した成形品に遮光材料を塗布や蒸着を施すことによって設けることができる。
【００５７】
また、光源16を拡散カバーで覆うようにしてもよい。この場合、天井面側透光部19および壁面側透光部20は拡散性を備えていなくてもよい。
【００５８】
また、光源16にレンズを用い、天井面11側と壁面12側との配光を任意に制御するようにしてもよい。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
10    照明装置
11    天井面
12    壁面
15    器具本体
16    光源
19    天井面側透光部
20    壁面側透光部
21    非透光部
23    反射板
26    天井面取付部
34    発光素子
42    立上げ部
45    天井面側反射面
46    壁面側反射面
50    壁面当接部
ｚ    鉛直線
【図１】
2017021900.tif 000003
【図２】
2017021900.tif 000004
【図３】
2017021900.tif 000005